(57)【特許請求の範囲】
【請求項１】
少なくとも１つの受信デバイス（２）及び少なくとも１つの携行可能な物（３）を有するデバイスセット（１）であって、
前記受信デバイスは、特定のチャンネル上で送信される信号の一部を保持して、情報を番組の形態で受信することを可能にする、多チャンネルの信号を受信する手段（２１）と、該受信した信号の一部を情報信号に変換する変換手段（２２）と、該情報信号に基づく情報を出力する伝達手段（２３）と、通信手段（２４）とを有し、
前記デバイスセットは、さらに、前記携行可能な物の動作のための電子モジュール（３１）を有する携行可能な物を有し、
前記電子モジュールは、少なくとも計算ユニット（３２）と、前記受信デバイスの前記通信手段（２４）と通信することができる無線通信回路（３３）とを有し、
特定のチャンネルのそれぞれ及び番組のそれぞれは、チャンネル識別子及び番組識別子によって識別され、
携行可能な物は、特定のチャンネル及び／又は特定の番組に関連づけられたチャンネル識別子及び／又は番組識別子を用いてあらかじめプログラムされており、
前記携行可能な物は、前記無線通信回路（３３）を介して、当該デバイスセット（１）に属する少なくとも１つの受信デバイスの存在を検出することができ、さらに、
前記携行可能な物は、前記少なくとも１つの受信デバイスに対して、特定のチャンネル及び／又は特定の番組を選択及び変更することができ、
該選択及び変更されるチャンネルの識別子及び／又は番組の識別子は、前記携行可能な物にプログラムされている識別子と同一の識別子を有し、さらに、
前記携行可能な物（３）は複数存在し、該複数の携行可能な物が前記受信デバイス（２）に近接している場合に、該受信デバイス（２）の応答要求に対して最初に応答した携行可能な物（３）に優先権を与えてコンフリクトを解決する
ことを特徴とするデバイスセット（１）。
【請求項２】
少なくとも１つの受信デバイス（２）及び少なくとも１つの携行可能な物（３）を有するデバイスセット（１）であって、
前記受信デバイスは、特定のチャンネル上で送信される信号の一部を保持して、情報を番組の形態で受信することを可能にする、多チャンネルの信号を受信する手段（２１）と、該受信した信号の一部を情報信号に変換する変換手段（２２）と、該情報信号に基づく情報を出力する伝達手段（２３）と、通信手段（２４）とを有し、
前記デバイスセットは、さらに、前記携行可能な物の動作のための電子モジュール（３１）を有する携行可能な物を有し、
前記電子モジュールは、少なくとも計算ユニット（３２）と、前記受信デバイスの前記通信手段（２４）と通信することができる無線通信回路（３３）とを有し、
特定のチャンネルのそれぞれ及び番組のそれぞれは、チャンネル識別子及び番組識別子によって識別され、
携行可能な物は、特定のチャンネル及び／又は特定の番組に関連づけられたチャンネル識別子及び／又は番組識別子を用いて手動でプログラムされており、
前記携行可能な物は、前記無線通信回路（３３）を介して、当該デバイスセット（１）に属する少なくとも１つの受信デバイスの存在を検出することができ、さらに、
前記携行可能な物は、前記少なくとも１つの受信デバイスに対して、特定のチャンネル及び／又は特定の番組を選択及び変更することができ、
該選択及び変更されるチャンネルの識別子及び／又は番組の識別子は、前記携行可能な物にプログラムされている識別子と同一の識別子を有し、さらに、
前記携行可能な物（３）は複数存在し、該複数の携行可能な物が前記受信デバイス（２）に近接している場合に、該受信デバイス（２）の応答要求に対して最初に応答した携行可能な物（３）に優先権を与えてコンフリクトを解決する
ことを特徴とするデバイスセット（１）。
【請求項３】
前記多チャンネルの信号は、アナログ又はデジタルの信号である
ことを特徴とする請求項１又は２に記載のデバイスセット（１）。
【請求項４】
前記無線通信回路（３３）は、少なくとも１つのプロトコルを用いる少なくとも１つのインタフェースを有する
ことを特徴とする請求項１又は２に記載のデバイスセット（１）。
【請求項５】
前記無線通信回路（３３）は、それぞれが１つのプロトコルを用いる少なくとも２つのインタフェースを有する
ことを特徴とする請求項４に記載のデバイスセット（１）。
【請求項６】
前記プロトコルは、Ｂｌｕｅｔｏｏｔｈ  Ｓｍａｒｔ（登録商標）、ＷｉＦｉ、ＮＦＣ又は他のプロプライエタリー又は標準のプロトコルから選択されるプロトコルである
ことを特徴とする請求項４又は５に記載のデバイスセット（１）。
【請求項７】
前記携行可能な物（３）は、さらに、制御手段（３４）及び表示手段（３５）を有する
ことを特徴とする請求項１〜６のいずれかに記載のデバイスセット（１）。
【請求項８】
前記携行可能な物（３）は、腕時計、腕輪、移動体電話、スマートフォン及び受信デバイス（２）と相互作用することができる任意のデバイスからなる群から選択される物である
ことを特徴とする請求項１又は２に記載のデバイスセット（１）。
【発明の詳細な説明】
【技術分野】
【０００１】
本発明は、少なくとも１つの受信デバイス及び少なくとも１つの携行可能機器を有するデバイスセットであって、前記受信デバイスは、特定のチャンネル上で送信される信号の一部を保持して、情報を番組の形態で受信することを可能にする、多チャンネルの信号を受信する手段と、伝達手段に関連づけられており情報を放送する変換手段と、及び通信手段とを有し、前記デバイスセットは、さらに、前記携行可能な物の動作のための電子モジュールを有する携行可能な物を有し、前記電子モジュールは、少なくとも計算ユニットと、及び前記受信デバイスの前記通信手段と通信することができる無線通信回路とを有するものに関する。
【背景技術】
【０００２】
ビデオ及び／又はサウンドの情報を受信してユーザーへと再送する、テレビジョン受信機や無線受信機のような受信デバイスが知られている。受信信号は、周波数帯上で送信され、受信デバイスは、この周波数帯内から正確な周波数を選択することができる。現在、この信号はデジタル信号であることが多い。テレビジョン受信機においては、これらの異なる信号は、異なるテレビジョンのチャンネルに対応するものである。一方、無線受信機においては、異なる信号は、異なる無線局に対応するものである。
【０００３】
受信情報は、ビデオ及び／又はサウンドプログラムの形態である。
【０００４】
ユーザーは、受信デバイスを操作したり、その受信デバイス専用のリモートコントローラーを用いたりして、所望のチャンネルを選択して所望のプログラムを視聴及び／又は聴取する。
【０００５】
これらの受信デバイスの使用を改善するために、ユーザーは、お気に入りのリストを用いるように、受信デバイスをプログラムすることができる。すなわち、自分の好みのチャンネル又は局をすぐに選択できるようなショートカットを作ることができる。
【０００６】
しかし、これは、ユーザーが自身の好みのチャンネルや局に移ることが可能になるだけであり、自身の好みの番組（プログラム）や番組の種類に移ることを可能にするわけではない。このために、ユーザーは、常にすべてのチャンネルを走査することによって、自身に適した番組があるかどうかを把握しなければならない。
【発明の概要】
【発明が解決しようとする課題】
【０００７】
したがって、本発明は、接続性が改善したデバイスセットを提供することによって従来技術の課題を解決することを目的とする。
【課題を解決するための手段】
【０００８】
このために、本発明は、少なくとも１つの受信デバイス及び少なくとも１つの携行可能機器を有するデバイスセットに関し、前記受信デバイスは、特定のチャンネル上で送信される信号の一部を保持して、情報を番組の形態で受信することを可能にする、多チャンネルの信号を受信する手段と、伝達手段に関連づけられており情報を放送する変換手段と、及び通信手段とを有し、前記デバイスセットは、さらに、前記携行可能な物の動作のための電子モジュールを有する携行可能な物を有し、前記電子モジュールは、少なくとも計算ユニットと、及び前記受信デバイスの前記通信手段と通信することができる無線通信回路とを有し、特定のチャンネルのそれぞれ及び番組のそれぞれは、少なくとも１つの識別子によって識別され、携行可能な物は、特定のチャンネル及び／又は特定の番組に関連づけられた少なくとも１つの特定の識別子を用いてプログラムされており、前記携行可能な物は、前記無線通信回路を介して、当該デバイスセットに属する少なくとも１つの受信デバイスの存在を検出することができ、前記携行可能な物は、前記少なくとも１つの受信デバイスに対して、前記特定のチャンネルを変更して、識別子又は現在放送されている番組が、前記携行可能な物にてプログラムされている識別子と同一の識別子を少なくとも１つ有するような特定のチャンネルを選択するように作用することができる。
【０００９】
第１の好ましい実施形態において、多チャンネルの信号は、アナログ又はデジタルの信号である。
【００１０】
第２の好ましい実施形態において、前記無線通信手段は、少なくとも１つのプロトコルを用いる少なくとも１つのインタフェースを有する。
【００１１】
第３の好ましい実施形態において、前記無線通信手段は、それぞれが１つのプロトコルを用いる少なくとも２つのインタフェースを有する。
【００１２】
第４の好ましい実施形態において、前記プロトコルは、Ｂｌｕｅｔｏｏｔｈ  Ｓｍａｒｔ（登録商標）、ＷｉＦｉ、ＮＦＣ又は他のプロプライエタリー又は標準のプロトコルから選択されるプロトコルである。
【００１３】
第５の好ましい実施形態において、前記携行可能な物は、さらに、制御手段及び表示手段を有する。
【００１４】
第６の好ましい実施形態において、前記携行可能な物は、腕時計、腕輪、移動体電話、スマートフォン及び受信デバイスと相互作用することができる任意のデバイスからなる群から選択される物である。
【００１５】
添付図面に示されており例としてのみ与えられる本発明の少なくとも１つの実施形態についての下記の詳細な説明によって、本発明に係るデバイスの目的、利点及び特徴をより明白に理解することができるであろう。本発明は、かかる実施形態には限定されない。
【図面の簡単な説明】
【００１６】
【図１】本発明に係るデバイスセットの概略図を示している。
【図２】本発明に係るデバイスセットの概略図を示している。
【図３】本発明に係るコンフリクト管理方法の概略図を示している。
【図４】本発明に係るコンフリクト管理方法の概略図を示している。
【発明を実施するための形態】
【００１７】
図１及び２は、本発明に係るデバイスセット１を象徴している。このようなデバイスセット１は、少なくとも１つの受信デバイス２及び少なくとも１つの携行可能な物３を有する。
【００１８】
受信デバイス２は、多チャンネルのアナログ又はデジタル信号を受信することができる、受信回路のような受信手段２１を有する。
【００１９】
アナログ信号（以下の説明において用いられる）の場合には、多チャンネルの信号（Ｓ＿ＭＣ）は、送信器１００によって周波数帯上で送信される電磁信号である。受信デバイスは、ここでは特定の周波数である特定のチャンネル上で送信される信号の一部を保持して、他の周波数上で送信される信号の部分を阻止することができる。電磁信号は、送信源によって送信され、各種の波上や有線で送信することができる。
【００２０】
特定の周波数上で送信される信号の部分のそれぞれによって、ユーザーが番組の形態で情報を得ることが可能になる。周波数帯の特定の周波数はそれぞれ、周波数識別子（ＩＤ＿Ｙ）を含む。また、番組はそれぞれ、番組に関連づけられた識別子（ＩＤ＿Ｘ）を含む。この番組識別子（ＩＤ＿Ｘ）は、多文字コードの形態であることができる。多文字コードは、それぞれが指示を含む文字の群をいくつか有する。これらの指示は、番組が送信される特定の周波数、番組のカテゴリー、すなわち、スポーツ、エンタテイメント、文化、ニュースなど、そして、ジャンルに関連していることができ、ジャンルには、サッカー、ラグビー、カーレースのようなスポーツジャンルがあり、より正確な情報として、例えば、ナショナルチャンピオンシップサッカー試合又はヨーロッパカップサッカー試合又はワールドカップサッカー試合のような番組の種類がある。
【００２１】
例えば、番組識別子（ＩＤ＿Ｘ）は、３文字の群を４つ有する１２の文字コードで符号化されており（例えば、識別子Ｘは、ＡＡＡＢＢＢＣＣＣＤＤＤのように符号化され、ここで、ＡＡＡは、チャンネルに対応しており、ＢＢＢは、カテゴリーに対応しており、ＣＣＣは、ジャンルに対応しており、ＤＤＤは、種類に対応している）、各群（ＡＡＡ、ＢＢＢ、ＣＣＣ、ＤＤＤ）が１つの種類の情報に対応している。これらの３つの文字の群（ＡＡＡ、ＢＢＢ、ＣＣＣ、ＤＤＤ）は、データベースの一部を形成することができる。
【００２２】
受信デバイス２は、さらに、特定の周波数上で送信される信号の選択された部分を情報信号へと変換する、復調器のような変換手段２２を有し、この情報信号は、スクリーン及び／又はスピーカーのような伝達手段２３によって用いられる。
【００２３】
受信デバイス２が、デジタル又はアナログのテレビジョン受信機、デジタル又はアナログの無線受信機、コンピューター、タッチタブレット又は放送のために多チャンネル信号を受け、処理し、変換することができる任意のデバイスであってもよいことを理解できるであろう。
【００２４】
受信デバイス２は、さらに、通信回路２４を有しており、これによって、受信デバイス２が他のデバイスと通信することができ、通信モジュール２４は、有線通信回路２４ａ及び／又は無線通信回路２４ｂを有する。無線通信回路は、Ｂｌｕｅｔｏｏｔｈ  Ｓｍａｒｔ（登録商標）、ＷｉＦｉ、近距離無線通信（ＮＦＣ）及び他のプロプライエタリー又は標準のプロトコルから選択されるプロトコルを用いるインタフェースを有する。
【００２５】
もちろん、無線通信回路は、それぞれ１つのプロトコルを用いるいくつかのインタフェースを有していてもよく、又はいくつかの異なるプロトコルを用いることができるインタフェースを１つのみ有していてもよい。
【００２６】
また、受信デバイス２は、制御手段２５を有することができる。
【００２７】
携行可能な物３は、携行可能機器を動作させるための電子モジュール３１を有する。この電子モジュールは、少なくとも計算ユニット３２と無線通信回路３３を有する。この無線通信回路は、Ｂｌｕｅｔｏｏｔｈ  Ｓｍａｒｔ（登録商標）、ＷｉＦｉ、近距離無線通信（ＮＦＣ）及び他のプロプライエタリー又は標準のプロトコルから選択されるプロトコルを用いるインタフェースを有する。
【００２８】
もちろん、無線通信回路は、それぞれ１つのプロトコルを用いるいくつかのインタフェースを有していてもよく、又はいくつかの異なるプロトコルを用いることができるインタフェースを１つのみ有していてもよい。
【００２９】
電子モジュール３１は、さらに、ユーザーが情報を読むことを可能にする表示手段と、及びユーザーが携行可能な物を操作することを可能にする制御手段とを有することができる。
【００３０】
例えば、携行可能な物は、腕時計、腕輪、移動体電話、スマートフォン又はリモートコントローラーであることができる。また、携行可能な物３には、さらに、押し部品やタッチキーのような制御手段３４が設けられており、表示手段３５を設けることができる。表示手段を、１つの機能を利用するために使用することができ、また、いくつかの機能のために使用することができ、針３５ａ及び／又はスクリーンであることができ、例えば、ＬＣＤタイプ３５ｂのものである。
【００３１】
好ましいことに、本発明によると、デバイスセットの前記少なくとも１つの受信デバイス及び前記少なくとも１つの携行可能な物はそれぞれ、前記デバイスセットに関連づけられた特定のタグ（Ｅ＿ｉ）を有する。この特定のタグは、受信デバイス及び携行可能な物が認識プロトコルを介して互いを認識することを可能にする識別子のようなものである。
【００３２】
実際に、携行可能な物３は、その電子モジュール３１及び通信回路３３が、その通信エリア内で、特定のタグに基づいて受信デバイスが存在するかどうかを定期的にテストするように構成している。そして、肯定的な返答（Ｙ）又は否定的な返答（Ｎ）を返す。
【００３３】
携行可能な物は、受信デバイスの存在に対するテストが肯定的である場合に受信デバイスと相互作用するように構成している。
【００３４】
もちろん、受信デバイス２の存在に対するテストは、携行可能な物の通信回路の作用半径の範囲と同じエリア内で行われる。例えば、Ｂｌｕｅｔｏｏｔｈ  Ｓｍａｒｔ（登録商標）プロトコルを用いる場合、作用半径は約１０ｍである。これに対して、ＮＦＣを用いる場合、作用半径は、約２〜３０ｃｍである。なお、携行可能な物３の通信回路２４の構成要素又はパラメーターを変更することによって、通信回路２４の作用半径を調整することができることを理解できるであろう。このことによって、例えば、Ｂｌｕｅｔｏｏｔｈ  Ｓｍａｒｔ（登録商標）プロトコルを用いる２ｍの範囲の通信回路２４を得ることができるようになる。
【００３５】
実際に、好ましいことに、本発明によると、携行可能な物３は、番組又はチャンネルに関連づけられた識別子（ＩＤ＿Ｐ）を用いてあらかじめプログラムされる。
【００３６】
結果的に、携行可能な物３がデバイスセット１に属する受信デバイスに近い場合、携行可能な物３は、この受信デバイスに対して、コマンドを含む信号を送ることによって番組又はチャンネルに関連づけられた識別子を通信して作用する。
【００３７】
識別子が番組に関連づけられている場合、携行可能な物３と受信デバイス２の間の相互作用が、受信デバイス２の側に対して、選択された特定の周波数を変更し、様々な周波数の電磁信号を走査して、同じ識別子を有する番組が放送されている周波数を選択するという反応を引き起こす。
【００３８】
例えば、携行可能な物は、スポーツ番組、より詳細には、サッカーのジャンルに関連づけられた識別子を用いてプログラムされる。例示的な識別子は、以下のように符号化される：ＡＡＡＢＢＢＣＣＣＤＤＤ（ここで、ＡＡＡはチャンネルに対応し、ＢＢＢはカテゴリーに対応し、ＣＣＣはジャンルに対応し、ＤＤＤは種類に対応する）このコードのＣＣＣの部分は、プログラムされた部分である。携行可能な物が、デバイスセットに属する受信デバイスと近い場合、プログラムされたコード部分ＣＣＣは、受信デバイスに伝達され、この受信デバイスは、特定の周波数をすべて走査して、同じ時点においてサッカーに関連づけられたスポーツ番組が放送されている特定の周波数を選択する。
【００３９】
識別子がチャンネルに関連づけられている場合、すなわち、特定の周波数に関連づけられている場合、携行可能な物３と受信デバイス２の間の相互作用は、受信デバイス２の側にて、様々な周波数の電磁信号を走査して、プログラムされた識別子に関連づけられた周波数を選択することによって、特定の周波数を変えることを伴う反応を引き起こす。もちろん、多チャンネルのデジタル信号の場合には、この反応は、多チャンネルの信号の様々なチャンネルを走査して、プログラムされた識別子に関連づけられたチャンネルを選択することによって、特定のチャンネルを変更することを伴う。
【００４０】
携行可能な物３と受信デバイス２の間の相互作用は、受信デバイス２の周波数の変化が外部の介在なしで自動的に行われるというように、自動的であることができる。
【００４１】
しかし、この相互作用は、対応受信デバイス２、すなわち、デバイスセットに属するもの、が検出されたことをユーザーが知らされる確認ステップがあるというように、準自動的であることができる。そして、ユーザーは、表示手段を介して、ユーザーがこの受信デバイス２と相互作用したいかどうかを尋ねられる。そして、ユーザーは、制御手段に作用して、相互作用を確認又は拒否する。
【００４２】
本発明の第１の変種において、デバイス識別子である付加的な識別子を用いる機能を有することができる。実際に、携行可能な物３が、１つの受信デバイス２のみと相互作用するようにプログラムされていることを想到することができる。結果的に、携行可能な物３を着用しているユーザーが、この特定の受信デバイス２の近くを通過するときに、これと携行可能な物３が相互作用し、一方、ユーザーがセット１の別のデバイス２の近くを通過するときには、相互作用が行われない。
【００４３】
第２の変種において、番組又はチャンネルに関連づけられ腕時計３にてプログラムされる識別子が、ユーザーによって手動で入力されることを想到することができる。そして、ユーザーは、携行可能な物３に直接インストールされたアプリケーションを介して、又はスマートフォンやタッチタブレットの種類の物にインストールされたアプリケーションを介して、所望の識別子を選択することができる。
【００４４】
第３の変種において、番組又はチャンネルに関連づけられたいくつかの識別子が、腕時計３にて自動的に又は手動でプログラムされていることを想到することができる。このような多数の識別子は、好みによって分類される。そして、携行可能な物３は、以下のように作用する。
【００４５】
携行可能な物３がデバイスセット１に属する受信デバイス２と近い場合、携行可能な物３は、リスト上の番組又はチャンネルに関連づけられた第１の識別子を通信することによって、この受信デバイス２に作用する。携行可能な物３と受信デバイス２の間のこの相互作用は、様々な周波数の電磁信号を走査して、同じ識別子を備えた番組が放送されている特定の周波数を選択することをもたらす。
【００４６】
しかし、この時点にて、同じ識別子を備えた番組が放送されているような特定の周波数がない場合には、携行可能な物は、リスト上の第２の識別子を送り、これによって、受信デバイスが様々な周波数を走査して、第２の識別子を備えた番組が放送されている特定の周波数を選択し、このようにして続く。動作モードは、第１の識別子のチャンネルが何らかの理由によって利用可能でなかったりユーザーが望まなかったりする場合に、リスト上の第２の識別子のチャンネルが選択されるという点で同じである。
【００４７】
第４の変種は、異なるコンフリクトの解決法を与える。実際に、本発明に係る携行可能な物を有する数人のユーザーが対応受信デバイスの近くにいる場合、特定の周波数の選択においてどのユーザーに優先権があるかを知ることが必要である。
【００４８】
これを達成するために、図３に示す第１の方法は、近くにいる第１のユーザーに優先権を与えることを伴う。この場合、受信デバイス２は、ブロック信号（Ｓ＿ＢＬＯＣ）によって、他の携行可能な物３との相互作用を阻止するように構成している。
【００４９】
図４に示すコンフリクトを管理する第２の方法は、受信デバイスにおいてユーザーの好ましい周波数を自動的に選択することには、ユーザーは必ずしも関心がないと考えることを伴う。このように、この第２の方法は、コンフリクトがユーザー間にあることを示すすべてのユーザーに、信号（Ｓ＿ＮＯＴ）を介して、通知を送ることを伴う。この通知には、さらに、ユーザーが信号（Ｓ＿ＲＥＰ）を介して提供しなければならない応答の要求を含む。これによって、通知に最初に応答するユーザーが他のユーザーよりも優先権を与えられる。そして、他の携行可能な物とのいずれの相互作用をも阻止される。
【００５０】
受信デバイス上のコマンド又はリモートコントローラーを介して特定の周波数がユーザーによって変更されるまで、阻止が継続するようにできる。また、優先権を有する携行可能な物３が近くにある間に阻止が継続するようにもできる。優先権を有する携行可能な物３のユーザーが動いて、受信デバイス２と携行可能な物３が互いの範囲外となれば、阻止が止まる。
【００５１】
別の変種においては、受信デバイス２がスタンバイモード、すなわち、電源は入っているがアクティブではないモード、であっても、携行可能な物３によって、対応している受信デバイス２が検出することができる。したがって、携行可能な物３がデバイスセット１に属する受信デバイス２と近い場合に、携行可能な物は、スタンバイモードから出てアクティブモードに変えるコマンドを送ることによって、受信デバイスに作用する。これは、所望の番組又はチャンネルに関連づけられた識別子を通信しつつである。
【００５２】
本説明に記載した本発明の様々な実施形態に対して、本発明の範囲から逸脱せずに、当業者にとって明白な様々な変更及び／又は改善を行うことができることは明らかである。
【図１】
0006393778.tif 000002
【図２】
0006393778.tif 000003
【図３】
0006393778.tif 000004
【図４】
0006393778.tif 000005